(57)【要約】      （修正有）【課題】緊急防災速報を地震通報システムを用いて地震の主要動が到達する前に警告を多くの人に聴覚と視覚に伝えることで災害時における混乱や機能不全を解消させる多機能看板システムを提供する。【解決手段】常時意匠広告等を表示する電照看板部２３と、防災情報をリアルタイムに受信できる緊急防災速報サブシステム２と、緊急防災速報サブシステム２と連動して同一表示面の内容を変更させる表示変更サブシステム３と、インターネットへの接続を可能にする無線ＬＡＮサブシステム４と、停電時に電照看板部２３と各サブシステムに電力を供給する蓄電池５で構成され、これらを統合することで、多機能看板システムを構築する。【選択図】図１
2016143405.tif 000002
【特許請求の範囲】
【請求項１】
薄型で軽量若しくは薄型で軽量で難燃性のある常時意匠広告等を表示する電照看板部２３と、緊急地震速報をはじめとする防災情報をリアルタイムに受信できる緊急防災速報サブシステム２と、緊急防災速報サブシステム２と連動して同一表示面の内容を変更させる表示変更サブシステム３と、看板が中継してインターネットへの接続を可能にする無線ＬＡＮサブシステム４と、停電時に電照看板部２３と各サブシステムに電力を供給する蓄電池５と、停電時に前記蓄電池５からの電力供給へ自動変換する停電時電力供給自動変換回路８と、商用交流電源６から直流に変換する電源装置７と、その入切スイッチ９からなり、電照看板部２３は電照看板用ＬＥＤ光源１を備え、緊急防災速報サブシステム２は無線通信１８にて受信し緊急防災速報を内蔵のミニスピーカー１４で音声出力することができる内蔵コントローラー１３で構成され、表示変更サブシステム３は第一の色のＬＥＤ光源１５と、第二の色のＬＥＤ光源１６と、この二つの色の光源を切り替える切替回路１７と、この二つの色の光源が投光する表示パネル２１と、同一の表示面に表示させる第１表示１９と、第２表示２０から構成され、無線ＬＡＮサブシステム４は内蔵するＷｉ−Ｆｉアクセスポイント２２から構成され、これらを統合することで、災害時における混乱や機能不全を解消させるようにした多機能看板システム。
【請求項２】
前記表示変更サブシステム３において、青色波長光をはじめとする短波長光を透過し、短波長光の色と異なる赤色波長光をはじめとする長波長光をほとんど透過させない透過特性を有する第一の色に対応するインクで構成された第１表示１９と、青色波長光をはじめとする短波長光をほとんど透過させず、赤色波長光をはじめとする長波長光を透過する透過特性を有する第二の色に対応するインクで構成された第２表示２０と、第１表示１９及び第２表示２０をそれぞれ別々に重ねて表示している表示パネル２１と、この表示パネル２１を投光領域に発光ピークの波長領域が異なる第一の色のＬＥＤ光源１５と、第二の色のＬＥＤ光源１６と、それらを切換えるための切換回路１７を備え、切替回路１７を緊急防災速報サブシステム２の内蔵コントローラー１３にトリガー接続することで、内蔵コントローラー１３が緊急防災速報を受信していないときは第一の色のＬＥＤ光源１５を投光することで前記第一の色の波長領域の光を透過し且つ前記第二の色の波長領域の光を減衰して第１表示１９を表示し、内蔵コントローラー１３が緊急防災速報を受信しているときは第二の色のＬＥＤ光源１６を投光することで前記第一の色の波長領域の光を減衰し且つ前記第二の色の波長領域の光を透過して第２表示２０を表示することにより避難方向等を明示するようにしたことを特徴とする請求項１記載の多機能看板システム。
【請求項３】
第２表示２０に表示が切り替わったことを注意喚起するために、タイマＩＣを用いた発振回路１０によりＬＥＤ光源を点滅表示させることを特徴とする請求項２記載の多機能看板システム。
【請求項４】
第２表示２０に表示が切替わったことを注意喚起するためにフラッシュ光源用ＬＥＤ１１とマイコンを組み合わせた回路１２によりフラッシュ光源用ＬＥＤ１１を点滅表示させることを特徴とする請求項２記載の多機能看板システム。
【発明の詳細な説明】
【技術分野】
【０００１】  本発明は、停電時でも数時間点灯可能なバックアップ機能を有するとともに、災害時における混乱や機能不全を解消させることが可能な多機能看板システムに関する。
【背景技術】
【０００２】  人々の行動のよりどころとなる情報を具体的なかたちで表した看板の重要性と、人々の生活に欠かせないとても身近なものであるが故に、いつもの看板で、災害に強い安全・安心な街づくりに寄与する機能を付加する目的に災害時及び停電時でも３０分以上点灯するバックアップ機能を付加した薄型電照看板を考案している。（実用新案文献１）
緊急地震速報を音声出力できる地震通報システムを確立している。（特許文献１、２、３、４）
従来、同一の投光領域に発光ピークの波長領域が異なる二つの光源の光を切り換えて投光し、第一の波長領域の光を透過し且つ第二の波長領域の光を減衰する第１表示領域と、第一の波長領域の光を減衰し且つ第二の波長領域の光を透過する第２表示領域を切り換えて表示する可変表示構造が知られている。（特許文献５）
Ｗｉ−Ｆｉアクセスポイントによりインターネットに接続可能な無線ＬＡＮシステムが確立されている。【０００３】  バックアップ機能が付加された看板は、停電時や断線時に法に定める誘導灯や非常灯とは別に、誘導サイン・補助照明として機能を維持し災害時のパニックを軽減。安全で確実な避難活動をサポートするが、物的、人的被害を極力最小限に抑制するためには、事前防災・減災対策に視点をあて、より効果ある機能を付加するとともに統合システムを構築する必要がある。
【先行技術文献】
【特許文献】
【０００４】
【特許文献１】特開２０１０−２８８１０１号公報
【特許文献２】特開２０１０−１４０３９５号公報
【特許文献３】特開２０１０−１３９４６２号公報
【特許文献４】特開２００８−２７１２８１号公報
【特許文献５】特開２００８−２５７０５４号公報
【非特許文献】
【０００５】
【非特許文献１】
【発明の概要】
【発明が解決しようとする課題】
【０００６】  本発明は、以上のような従来の課題に鑑み、緊急防災速報、例えば、地震の初期微動で気象庁が観測した地震発生の情報を地震通報システムを通じて地震の主要動が到達する前に警告を聴覚と視覚に伝えることで、可能な限り多くの人に危険を知らせる。その後、揺れがおさまった次の段階に想定される津波から逃れる行動を表示で促すことが可能となる。また、無線ＬＡＮシステムにより、災害時でもデータリンクが可能になり、高度な防災・減災システムが簡易に構築でき、気象庁や自治体が発表する災害情報等をプッシュ通知にて速報できる。さらに、いずれの機能も停電時や電源が断線した際にもバックアップ機能が作動することにより動作を維持させ、これらの統合システムを構築することにより、災害時における混乱や機能不全を少しでも解消させることにある。
【課題を解決するための手段】
【０００７】  上記目的を達成するために、薄型で軽量若しくは薄型で軽量で難燃性のある常時意匠広告等を表示する電照看板部２３と、緊急地震速報をはじめとする防災情報をリアルタイムに受信できる緊急防災速報サブシステム２と、緊急防災速報サブシステム２と連動して同一表示面の内容を変更させる表示変更サブシステム３と、看板が中継してインターネットへの接続を可能にする無線ＬＡＮサブシステム４と、停電時に電照看板部２３と各サブシステムに電力を供給する蓄電池５と、停電時に前記蓄電池５からの電力供給へ自動変換する停電時電力供給自動変換回路８と、商用交流電源６から直流に変換する電源装置７と、その入切スイッチ９からなり、電照看板部２３は電照看板用ＬＥＤ光源１を備え、緊急防災速報サブシステム２は無線通信１８にて受信し緊急防災速報を内蔵のミニスピーカー１４で音声出力することができる内蔵コントローラー１３で構成され、表示変更サブシステム３は第一の色のＬＥＤ光源１５と、第二の色のＬＥＤ光源１６と、この二つの色の光源を切り替える切替回路１７と、この二つの色の光源が投光する表示パネル２１と、同一の表示面に表示させる第１表示１９と、第２表示２０から構成され、無線ＬＡＮサブシステム４は内蔵するＷｉ−Ｆｉアクセスポイント２２から構成され、これらを統合することで、災害時における混乱や機能不全を解消させるようにする。【０００８】  さらに、前記表示変更サブシステム３において、青色波長光をはじめとする短波長光を透過し、短波長光の色と異なる赤色波長光をはじめとする長波長光をほとんど透過させない透過特性を有する第一の色に対応するインクで構成された第１表示１９と、青色波長光をはじめとする短波長光をほとんど透過させず、赤色波長光をはじめとする長波長光を透過する透過特性を有する第二の色に対応するインクで構成された第２表示２０と、第１表示１９及び第２表示２０をそれぞれ別々に重ねて表示している表示パネル２１と、この表示パネル２１を投光領域に発光ピークの波長領域が異なる第一の色のＬＥＤ光源１５と、第二の色のＬＥＤ光源１６と、それらを切換えるための切換回路１７を備え、切替回路１７を緊急防災速報サブシステム２の内蔵コントローラー１３にトリガー接続することで、内蔵コントローラー１３が緊急防災速報を受信していないときは第一の色のＬＥＤ光源１５を投光することで前記第一の色の波長領域の光を透過し且つ前記第二の色の波長領域の光を減衰して第１表示１９を表示し、内蔵コントローラー１３が緊急防災速報を受信しているときは第二の色のＬＥＤ光源１６を投光することで前記第一の色の波長領域の光を減衰し且つ前記第二の色の波長領域の光を透過して第２表示２０を表示することにより避難方向等を明示するようにさせる。【０００９】  さらに、第２表示２０に表示が切り替わったことを注意喚起するために、タイマＩＣを用いた発振回路１０によりＬＥＤ光源を点滅表示させる。【００１０】  さらに、第２表示２０に表示が切替わったことを注意喚起するためにフラッシュ光源用ＬＥＤ１１とマイコンを組み合わせた回路１２によりフラッシュ光源用ＬＥＤ１１を点滅表示させる。【００１１】  いずれの機能も停電時や電源が断線した際にも��ックアップ機能が作動することにより動作を維持させ、これら統合システムにより、上記課題を解決する。
【発明の効果】
【００１２】  本発明によれば、大規模災害時に停電時や電源が断線した際にもバックアップ機能が自動作動し、これにより光源が点灯して薄型電照看板が数時間は機能するので、暗所で衝突して怪我をしたり逃げ遅れたりすることが少なくなる。さらに、この看板に緊急防災速報サブシステム、それに連携可能な表示変更サブシステム、及び無線ＬＡＮサブシステムを内蔵することで、多機能看板システムを構築し、例えば、地震の主要動が到達する前に音声で周辺の人々に地震を知らせ、身を守る行動を促し、表示が切り替わることで、津波などから逃れるための次の行動を表示で促し、無線ＬＡＮにより周辺の通信デバイスに災害情報をプッシュ通知にて正確に且つ素早く伝えることで、位置関係と避難経路も把握できるので、どこに避難すれば安全であるかを一人一人に促せるので、パニックに陥ることなく落ち着いて安全かつ短時間で避難することができるという利点がある。
【図面の簡単な説明】
【００１３】
【図１】多機能看板システムの実施方法を示した説明図である。（実施例１）
【図２】多機能看板システムの実施方法を示した説明図である。（実施例２）
【図３】多機能看板システムの実施方法を示した説明図である。（実施例３）
【図４】多機能看板システムの実施方法を示した説明図である。（実施例４）
【図５】多機能看板システムの実施方法を示した説明図である。（実施例５）
【図６】多機能看板システムの実施方法を示した説明図である。（実施例６）
【図７】多機能看板システムの実施方法を示した説明図である。（実施例７）
【図８】多機能看板システムの実施方法を示した説明図である。（実施例８）
【図９】多機能看板システムの実施方法を示した説明図である。（実施例９）
【図１０】多機能看板システムの実施方法を示した説明図である。（実施例１０）
【図１１】多機能看板システムの実施方法を示した説明図である。（実施例１１）
【図１２】多機能看板システムの実施方法を示した説明図である。（実施例１２）
【図１３】多機能看板システムの実施方法を示した説明図である。（実施例１３）
【図１４】多機能看板システムの実施方法を示した説明図である。（実施例１４）
【図１５】多機能看板システムの実施方法を示した説明図である。（実施例１５）
【図１６】多機能看板システムの実施方法を示した説明図である。（実施例１６）
【図１７】多機能看板システムの実施方法を示した説明図である。（実施例１７）
【図１８】多機能看板システムの実施方法を示した説明図である。（実施例１８）
【図１９】多機能看板システムの実施方法を示した説明図である。（実施例１９）
【図２０】多機能看板システムの実施方法を示した説明図である。（実施例２０）
【図２１】多機能看板システムの実施方法を示した説明図である。（実施例２１）
【図２２】多機能看板システムの実施方法を示した説明図である。（実施例２２）
【発明を実施するための形態】
【００１４】  本発明に係るＬＥＤ電照看板は屋内及び屋外において、特に大規模災害時に電源が直接確保できなくなった場合にでも看板表示機能の維持を期待される公共的施設や商業施設に設けられ、大規模災害時に停電時や電源が断線した際にもバックアップ機能が自動作動し、看板に内蔵する緊急防災速報サブシステム、それに連携可能な表示変更サブシステム、及び無線ＬＡＮサブシステムが稼働し続けることで、安全な避難行動がとれるよう、各サブシステムが円滑に効果を発揮できるよう連携可能な多機能看板システムを実現した。
【実施例１】
【００１５】  図１は薄型で軽量若しくは薄型で軽量で難燃性のある常時意匠広告等を表示する電照看板部２３と、緊急地震速報をはじめとする防災情報をリアルタイムに受信できる緊急防災速報サブシステム２と、緊急防災速報サブシステム２と連動して同一表示面の内容を変更させる表示変更サブシステム３と、看板が中継してインターネットへの接続を可能にする無線ＬＡＮサブシステム４と、停電時に電照看板部２３と各サブシステムに電力を供給する蓄電池５と、停電時に前記蓄電池５からの電力供給へ自動変換する停電時電力供給自動変換回路８と、商用交流電源６から直流に変換する電源装置７と、その入切スイッチ９からなり、電照看板部２３は電照看板用ＬＥＤ光源１を備え、緊急防災速報サブシステム２は無線通信１８にて受信し緊急防災速報を内蔵のミニスピーカー１４で音声出力することができる内蔵コントローラー１３から構成され、表示変更サブシステム３は第一の色のＬＥＤ光源１５と、第二の色のＬＥＤ光源１６と、この二つの色の光源を切り替える切替回路１７と、この二つの色の光源が投光する表示パネル２１と、同一の表示面に表示させる第１表示１９と、第２表示２０から構成され、無線ＬＡＮサブシステム４は内蔵するＷｉ−Ｆｉアクセスポイント２２から構成され、これらの統合を示したブロック図である。緊急防災速報サブシステム２の内蔵コントローラー１３が無線通信１８にて緊急防災速報を受信しているときはミニスピーカー１４で音声出力するとともに、表示変更サブシステム３の切替回路１７により第一の色のＬＥＤ光源１５にて表示している第１表示１９から第二の色のＬＥＤ光源１６にて表示する第２表示２０に切替わり避難方向等を明示する。さらに、Ｗｉ−Ｆｉアクセスポイント２２により周辺の通信デバイスに災害情報をプッシュ通知にて正確に且つ素早く伝えることで、位置関係と避難経路も把握でき、停電時や断線時でも音声と表示と通信で災害時に安全且つ短時間で避難活動を導くことが可能となる。【００１６】  図２は本発明に係る表示変更サブシステム３の表示方式を示すイメージ図である。青色波長光をはじめとする短波長光を透過し、短波長光の色と異なる赤色波長光をはじめとする長波長光をほとんど透過させない透過特性を有する第一の色に対応するインクで構成された第１表示１９と、青色波長光をはじめとする短波長光をほとんど透過させず、赤色波長光をはじめとする長波長光を透過する透過特性を有する第二の色に対応するインクで構成された第２表示２０と、第１表示１９及び第２表示２０をそれぞれ別々に重ねて表示している表示パネル２１を備え、緊急防災速報を受信していないときは第一の色のＬＥＤ光源１５を投光することで前記第一の色の波長領域の光を透過し且つ前記第二の色の波長領域の光を減衰して第１表示１９を表示し、緊急防災速報を受信しているときは第二の色のＬＥＤ光源１６を投光することで前記第一の色の波長領域の光を減衰し且つ前記第二の色の波長領域の光を透過して第２表示２０を表示する。【００１７】  図３の実施例は、図１のブロック図のうち表示変更サブシステム３が緊急防災速報サブシステム２と連携して表示が切り替わったことを注意喚起するために、タイマＩＣを用いた発振回路１０により表示変更サブシステム３の第二の色のＬＥＤ光源１６を点滅表示させる多機能看板システムである。これにより、緊急防災速報サブシステム２が災害の到来を知らせる上で、より注意を促すことが可能となる。【００１８】  図４の実施例は、図１のブロック図のうち表示変更サブシステム３が緊急防災速報サブシステム２と連携して表示が切り替わったことを注意喚起するために、図１の多機能看板システムの内部にあるフラッシュ光源用ＬＥＤ１１とマイコンを組み合わせた回路１２によりフラッシュライトを点滅表示させる多機能看板システムである。これにより、緊急防災速報サブシステム２が災害の到来を知らせる上で、より注意を促すことが可能となる。【００１９】  図５の実施例は、図１のブロック図のうち表示変更サブシステム３が緊急防災速報サブシステム２と連携して表示が切り替わったことを注意喚起するために、タイマＩＣを用いた発振回路１０により表示変更サブシステム３の第二の色のＬＥＤ光源１６を点滅表示させるとともに、図１の多機能看板システムの内部にあるフラッシュ光源用ＬＥＤ１１とマイコンを組み合わせた回路１２によりフラッシュライトを点滅表示させる多機能看板システムである。これにより、緊急防災速報サブシステム２が災害の到来を知らせる上で、より注意を促すことが可能となる。【００２０】  図６の実施例は、薄型で軽量若しくは薄型で軽量で難燃性のある常時意匠広告等を表示する電照看板部２３と、緊急地震速報をはじめとする防災情報をリアルタイムに受信できる緊急防災速報サブシステム２と、停電時に電照看板部２３と緊急防災速報サブシステムに電力を供給する蓄電池５と、停電時に前記蓄電池５からの電力供給へ自動変換する停電時電力供給自動変換回路８と、商用交流電源６から直流に変換する電源装置７と、その入切スイッチ９からなり、電照看板部２３は電照看板用ＬＥＤ光源１を備え、緊急防災速報サブシステム２は無線通信１８にて受信し緊急防災速報を内蔵のミニスピーカー１４で音声出力することができる内蔵コントローラー１３から構成され、これらの統合を示したブロック図である。看板内部に設けられた電照看板部２３及び緊急防災速報サブシステム２は、通常時は常時充電されている蓄電池５とともに、通常時は商用交流電源６から交流から直流へ変換し電力を制御のうえ供給する電源装置７を経て電力の供給を受け、停電時には蓄電池５からの放電により電照看板用ＬＥＤ光源１及び緊急防災速報サブシステム２への電力供給に自動的に変換する。緊急防災速報サブシステム２の内蔵コントローラー１３が無線通信１８にて緊急防災速報を受信しているときはミニスピーカー１４で音声により、停電時や断線時でも災害時に安全且つ短時間で避難活動を導くことが可能となる。【００２１】  図７の実施例は、図６のブロック図のうち緊急防災速報サブシステム２が連携して災害の到来を音声出力していることを注意喚起するために、タイマＩＣを用いた発振回路１０により電照看板用ＬＥＤ光源１を点滅表示させる多機能看板システムである。これにより、緊急防災速報サブシステム２が災害の到来を知らせる上で、より注意を促すことが可能となる。【００２２】  図８の実施例は、図６のブロック図のう��緊急防災速報サブシステム２が連携して地震の到来を音声出力していることを注意喚起するために、図６の多機能看板システムの内部にあるフラッシュ光源用ＬＥＤ１１とマイコンを組み合わせた回路１２によりフラッシュライトを点滅表示させる多機能看板システムである。これにより緊急防災速報サブシステム２が災害の到来を知らせる上で、より注意を促すことが可能となる。【００２３】  図９の実施例は、図６のブロック図のうち緊急防災速報サブシステム２と連携して災害の到来を音声出力していることを注意喚起するために、タイマＩＣを用いた発振回路１０により電照看板用ＬＥＤ光源１を点滅表示させるとともに、図６の多機能看板システムの内部にあるフラッシュ光源用ＬＥＤ１１とマイコンを組み合わせた回路１２によりフラッシュライトを点滅表示させる多機能看板システムである。これにより緊急防災速報サブシステム２が災害の到来を知らせる上で、より注意を促すことが可能となる。【００２４】  図１０の実施例は緊急地震速報をはじめとする防災情報をリアルタイムに受信できる緊急防災速報サブシステム２と、緊急防災速報サブシステム２と連動して同一表示面の内容を変更させる表示変更サブシステム３と、停電時に各サブシステムに電力を供給する蓄電池５と、停電時に前記蓄電池５からの電力供給へ自動変換する停電時電力供給自動変換回路８と、商用交流電源６から直流に変換する電源装置７と、その入切スイッチ９からなり、緊急防災速報サブシステム２は無線通信１８にて受信し緊急防災速報を内蔵のミニスピーカー１４で音声出力することができる内蔵コントローラー１３から構成され、表示変更サブシステム３は第一の色のＬＥＤ光源１５と、第二の色のＬＥＤ光源１６と、この二つの色の光源を切り替える切替回路１７と、この二つの色の光源が投光する表示パネル２１と、同一の表示面に表示させる第１表示１９と、第２表示２０から構成され、これらの統合を示したブロック図である。看板内部に設けられた緊急防災速報サブシステム２、表示変更サブシステム３は、通常時は常時充電されている蓄電池５とともに、通常時は商用交流電源６から交流から直流へ変換し電力を制御のうえ供給する電源装置７を経て電力の供給を受け、停電時には蓄電池５からの放電により緊急防災速報サブシステム２及び表示変更サブシステム３への電力供給に自動的に変換する。緊急防災速報サブシステム２の内蔵コントローラー１３が無線通信１８にて緊急防災速報を受信しているときはミニスピーカー１４で音声出力するとともに、表示変更サブシステム３の切替回路１７により第一の色のＬＥＤ光源１５にて表示している第１表示１９から第二の色のＬＥＤ光源１６にて表示する第２表示２０に切替わり避難方向等を明示する。これにより、停電時や断線時でも音声と表示で災害時に安全且つ短時間で避難活動を導くことが可能となる。【００２５】  図１１の実施例は、図１０のブロック図のうち表示変更サブシステム３が緊急防災速報サブシステム２と連携して表示が切り替わったことを注意喚起するために、タイマＩＣを用いた発振回路１０により表示変更サブシステム３の第二の色のＬＥＤ光源１６を点滅表示させる多機能看板システムである。これにより、緊急防災速��サブシステム２が災害の到来を知らせる上で、より注意を促すことが可能となる。【００２６】  図１２の実施例は、図１０のブロック図のうち表示変更サブシステム３が緊急防災速報サブシステム２と連携して表示が切り替わったことを注意喚起するために、図１０の多機能看板システムの内部にあるフラッシュ光源用ＬＥＤ１１とマイコンを組み合わせた回路１２によりフラッシュライトを点滅表示させる多機能看板システムである。これにより、緊急防災速報サブシステム２が災害の到来を知らせる上で、より注意を促すことが可能となる。【００２７】  図１３の実施例は、図１０のブロック図のうち表示変更サブシステム３が緊急防災速報サブシステム２と連携して表示が切り替わったことを注意喚起するために、タイマＩＣを用いた発振回路１０により表示変更サブシステム３の第二の色のＬＥＤ光源１６を点滅表示させるとともに、図１０の多機能看板システムの内部にあるフラッシュ光源用ＬＥＤ１１とマイコンを組み合わせた回路１２によりフラッシュライトを点滅表示させる多機能看板システムである。これにより、緊急防災速報サブシステム２が災害の到来を知らせる上で、より注意を促すことが可能となる。【００２８】  図１４の実施例は緊急地震速報をはじめとする防災情報をリアルタイムに受信できる緊急防災速報サブシステム２と、緊急防災速報サブシステム２と連動して同一表示面の内容を変更させる表示変更サブシステム３と、看板が中継してインターネットへの接続を可能にする無線ＬＡＮサブシステム４と、停電時に各サブシステムに電力を供給する蓄電池５と、停電時に前記蓄電池５からの電力供給へ自動変換する停電時電力供給自動変換回路８と、商用交流電源６から直流に変換する電源装置７と、その入切スイッチ９からなり、電照看板部２３は電照看板用ＬＥＤ光源１を備え、緊急防災速報サブシステム２は無線通信１８にて受信し緊急防災速報を内蔵のミニスピーカー１４で音声出力することができる内蔵コントローラー１３から構成され、表示変更サブシステム３は第一の色のＬＥＤ光源１５と、第二の色のＬＥＤ光源１６と、この二つの色の光源を切り替える切替回路１７と、この二つの色の光源が投光する表示パネル２１と、同一の表示面に表示させる第１表示１９と、第２表示２０から構成され、無線ＬＡＮサブシステム４は内蔵するＷｉ−Ｆｉアクセスポイント２２から構成され、これらの統合を示したブロック図である。看板内部に設けられた緊急防災速報サブシステム２、表示変更サブシステム３及び無線ＬＡＮサブシステム４は、通常時は常時充電されている蓄電池５とともに、通常時は商用交流電源６から交流から直流へ変換し電力を制御のうえ供給する電源装置７を経て電力の供給を受け、停電時には蓄電池５からの放電により緊急防災速報サブシステム２、表示変更サブシステム３及び無線ＬＡＮサブシステム４への電力供給に自動的に変換する。緊急防災速報サブシステム２の内蔵コントローラー１３が無線通信１８にて緊急防災速報を受信しているときはミニスピーカー１４で音声出力するとともに、表示変更サブシステム３の切替回路１７により第一の色のＬＥＤ光源１５にて表示している第１表示１９から第二の色のＬＥＤ光源１６にて表示する��２表示２０に切替わり避難方向等を明示する。さらに、Ｗｉ−Ｆｉアクセスポイント２２により周辺の通信デバイスに災害情報をプッシュ通知にて正確に且つ素早く伝えることで、位置関係と避難経路も把握でき、停電時や断線時でも音声と表示と通信で災害時に安全且つ短時間で避難活動を導くことが可能となる。【００２９】  図１５の実施例は、図１４のブロック図のうち表示変更サブシステム３が緊急防災速報サブシステム２と連携して表示が切り替わったことを注意喚起するために、タイマＩＣを用いた発振回路１０により表示変更サブシステム３の第二の色のＬＥＤ光源１６を点滅表示させる多機能看板システムである。これにより、緊急防災速報サブシステム２が災害の到来を知らせる上で、より注意を促すことが可能となる。【００３０】  図１６の実施例は、図１４のブロック図のうち表示変更サブシステム３が緊急防災速報サブシステム２と連携して表示が切り替わったことを注意喚起するために、図１４の多機能看板システムの内部にあるフラッシュ光源用ＬＥＤ１１とマイコンを組み合わせた回路１２によりフラッシュライトを点滅表示させる多機能看板システムである。これにより緊急防災速報サブシステム２が災害の到来を知らせる上で、より注意を促すことが可能となる。【００３１】  図１７の実施例は、図１４のブロック図のうち表示変更サブシステム３が緊急防災速報サブシステム２と連携して表示が切り替わったことを注意喚起するために、タイマＩＣを用いた発振回路１０により表示変更サブシステム３の第二の色のＬＥＤ光源１６を点滅表示させるとともに、図１４の多機能看板システムの内部にあるフラッシュ光源用ＬＥＤ１１とマイコンを組み合わせた回路１２によりフラッシュライトを点滅表示させる多機能看板システムである。これにより緊急防災速報サブシステム２が災害の到来を知らせる上で、より注意を促すことが可能となる。【００３２】  図１８の実施例は薄型で軽量若しくは薄型で軽量で難燃性のある常時意匠広告等を表示する電照看板部２３と、緊急地震速報をはじめとする防災情報をリアルタイムに受信できる緊急防災速報サブシステム２と、看板が中継してインターネットへの接続を可能にする無線ＬＡＮサブシステム４と、停電時に電照看板部２３と各サブシステムに電力を供給する蓄電池５と、停電時に前記蓄電池５からの電力供給へ自動変換する停電時電力供給自動変換回路８と、商用交流電源６から直流に変換する電源装置７と、その入切スイッチ９からなり、電照看板部２３は電照看板用ＬＥＤ光源１を備え、緊急防災速報サブシステム２は無線通信１８にて受信し緊急防災速報を内蔵のミニスピーカー１４で音声出力することができる内蔵コントローラー１３から構成され、無線ＬＡＮサブシステム４は内蔵するＷｉ−Ｆｉアクセスポイント２２から構成され、これらの統合を示したブロック図である。看板内部に設けられた電照看板部２３、緊急防災速報サブシステム２、及び無線ＬＡＮサブシステム４は、通常時は常時充電されている蓄電池５とともに、通常時は商用交流電源６から交流から直流へ変換し電力を制御のうえ供給する電源装置７を経て電力の供給を受け、停電時には蓄電池５からの放電により電照看板用ＬＥＤ光源１、緊急防災速報サブシステム２、及び無線ＬＡＮサブシステム４への電力供給に自動的に変換する。緊急防災速報サブシステム２の内蔵コントローラー１３が無線通信１８にて緊急防災速報を受信しているときはミニスピーカー１４で音声により地震の到来を知らせるとともに、Ｗｉ−Ｆｉアクセスポイント２２により周辺の通信デバイスに災害情報をプッシュ通知にて正確に且つ素早く伝えることで、位置関係と避難経路も把握でき、停電時や断線時でも音声と通信で災害時に安全且つ短時間で避難活動を導くことが可能となる。【００３３】  図１９の実施例は、図１８のブロック図のうち緊急防災速報サブシステム２が連携して災害の到来を音声出力していることを注意喚起するために、タイマＩＣを用いた発振回路１０により電照看板用ＬＥＤ光源１を点滅表示させる多機能看板システムである。これにより、緊急防災速報サブシステム２が災害の到来を知らせる上で、より注意を促すことが可能となる。【００３４】  図２０の実施例は、図１８のブロック図のうち緊急防災速報サブシステム２が連携して災害の到来を音声出力していることを注意喚起するために、図１８の多機能看板システムの内部にあるフラッシュ光源用ＬＥＤ１１とマイコンを組み合わせた回路１２によりフラッシュライトを点滅表示させる多機能看板システムである。これにより緊急防災速報サブシステム２が災害の到来を知らせる上で、より注意を促すことが可能となる。【００３５】  図２１の実施例は、図１８のブロック図のうち緊急防災速報サブシステム２と連携して災害の到来を音声出力していることを注意喚起するために、タイマＩＣを用いた発振回路１０により電照看板用ＬＥＤ光源１を点滅表示させるとともに、図１８の多機能看板システムの内部にあるフラッシュ光源用ＬＥＤ１１とマイコンを組み合わせた回路１２によりフラッシュライトを点滅表示させる多機能看板システムである。これにより緊急防災速報サブシステム２が災害の到来を知らせる上で、より注意を促すことが可能となる。【００３６】  図２２の実施例は薄型で軽量若しくは薄型で軽量で難燃性のある常時意匠広告等を表示する電照看板部２３と、看板が中継してインターネットへの接続を可能にする無線ＬＡＮサブシステム４と、停電時に電照看板部２３と無線ＬＡＮサブシステムに電力を供給する蓄電池５と、停電時に前記蓄電池５からの電力供給へ自動変換する停電時電力供給自動変換回路８と、商用交流電源６から直流に変換する電源装置７と、その入切スイッチ９からなり、電照看板部２３は電照看板用ＬＥＤ光源１を備え、無線ＬＡＮサブシステム４は内蔵するＷｉ−Ｆｉアクセスポイント２２から構成され、これらの統合を示したブロック図である。看板内部に設けられた電照看板部２３及び無線ＬＡＮサブシステム４は、通常時は常時充電されている蓄電池５とともに、通常時は商用交流電源６から交流から直流へ変換し電力を制御のうえ供給する電源装置７を経て電力の供給を受け、停電時には蓄電池５からの放電により電照看板用ＬＥＤ光源１及び無線ＬＡＮサブシステム４への電力供給に自動的に変換する。災害時にはＷｉ−Ｆｉアクセスポイント２２により周辺の通信デバイスに災害情報をプッシュ通知にて正確に且つ素早く伝えることで、���置関係と避難経路も把握でき、停電時や断線時でも通信で災害時に安全且つ短時間で避難活動を導くことが可能となる。
【産業上の利用可能性】
【００３７】  本発明は、電照看板を製造する産業で利用される。
【符号の説明】
【００３８】１  電照看板用ＬＥＤ光源
２  緊急防災速報サブシステム
３  表示変更サブシステム
４  無線ＬＡＮサブシステム
５  蓄電池
６  商用交流電源
７  電源装置
８  停電時電力供給自動変換回路
９  入切スイッチ
１０  タイマＩＣを用いた発振回路
１１  フラッシュ光源用ＬＥＤ
１２  マイコンを組み合わせた回路
１３  内蔵コントローラー
１４  ミニスピーカー
１５  第一の色のＬＥＤ光源
１６  第二の色のＬＥＤ光源
１７  切替回路
１８  無線通信
１９  第１表示
２０  第２表示
２１  表示パネル
２２  Ｗｉ−Ｆｉアクセスポイント
２３  電照看板部
【図１】
2016143405.tif 000003
【図２】
2016143405.tif 000004
【図３】
2016143405.tif 000005
【図４】
2016143405.tif 000006
【図５】
2016143405.tif 000007
【図６】
2016143405.tif 000008
【図７】
2016143405.tif 000009
【図８】
2016143405.tif 000010
【図９】
2016143405.tif 000011
【図１０】
2016143405.tif 000012
【図１１】
2016143405.tif 000013
【図１２】
2016143405.tif 000014
【図１３】
2016143405.tif 000015
【図１４】
2016143405.tif 000016
【図１５】
2016143405.tif 000017
【図１６】
2016143405.tif 000018
【図１７】
2016143405.tif 000019
【図１８】
2016143405.tif 000020
【図１９】
2016143405.tif 000021
【図２０】
2016143405.tif 000022
【図２１】
2016143405.tif 000023
【図２２】
2016143405.tif 000024